(57)【要約】【課題】  光量の少ないＬＥＤが発光する光を有効に利用することによって、写真撮影用の照明として満足のできるＬＥＤを用いた照明用フラッシュライトを得る。【解決手段】  基板と、該基板に実装されているＬＥＤと、該ＬＥＤの周囲を囲むように前記基板に固着され発光体カバーと、該発光体カバーに前記発光体に対して近接離間移動可能に取り付けられレンズと該レンズを保持するためのレンズホルダとにより構成されたたレンズ体とにより、前記ＬＥＤが発光する光の放射角度を可変可能に構成する。【選択図】        図１
2008090006.tif 000002
【特許請求の範囲】
【請求項１】
基板と、該基板に実装されているＬＥＤと、該ＬＥＤの周囲を囲むように前記基板に固着され発光体カバーと、該発光体カバーに前記発光体に対して近接離間移動可能に取り付けられレンズと該レンズを保持するためのレンズホルダとにより構成されたレンズ体とにより、前記ＬＥＤが発光する光の放射角度を可変可能に構成したことを特徴とする指向性可変型ＬＥＤフラッシュ装置。
【請求項２】
前記ＬＥＤが透明な樹脂によるモールディングにより封止されて発光体を構成していることを特徴とする請求項１記載の指向性可変型ＬＥＤフラッシュ装置。
【請求項３】
前記樹脂がＹＡＧを含有していることを特徴とする請求項２記載の指向性可変型ＬＥＤフラッシュ装置。
【請求項４】
前記レンズがフレネルレンズであることを特徴とする請求項１記載の指向性可変型ＬＥＤフラッシュ装置。
【請求項５】
前記レンズが凸レンズであることを特徴とする請求項１記載の指向性可変型ＬＥＤフラッシュ装置。
【請求項６】
前記レンズ体を駆動するモータを有することを特徴とする請求項１記載の指向性可変型ＬＥＤフラッシュ装置。
【請求項７】
前記モータがステッピングモータであることを特徴とする請求項５記載の指向性可変型ＬＥＤフラッシュ装置。
【請求項８】
前記モータが圧電モータであることを特徴とする請求項５記載の指向性可変型ＬＥＤフラッシュ装置。
【請求項９】
前記モータがＤＣモータであることを特徴とする請求項５記載の指向性可変型ＬＥＤフラッシュ装置。
【請求項１０】
基板と、該基板に実装されているＬＥＤと、該ＬＥＤを封止する樹脂とにより構成され前記基板に実装された発光体と、前記基板に前記発光体に対して近接離間移動可能に取り付けられた反射レンズとにより、前記ＬＥＤが発光する光の放射角度を可変可能に構成したことを特徴とする指向性可変型ＬＥＤフラッシュ装置。
【請求項１１】
前記反射レンズを駆動するモータを有することを特徴とする請求項９記載の指向性可変型ＬＥＤフラッシュ装置。
【請求項１２】
前記モータがステッピングモータであることを特徴とする請求項１０記載の指向性可変型ＬＥＤフラッシュ装置。
【請求項１３】
前記モータが圧電モータであることを特徴とする請求項１０記載の指向性可変型ＬＥＤフラッシュ装置。
【請求項１４】
前記モータがＤＣモータであることを特徴とする請求項１０記載の指向性可変型ＬＥＤフラッシュ装置。
【発明の詳細な説明】
【技術分野】
【０００１】
本発明はカメラに装着する照明用フラッシュライトの構成に関する。
【背景技術】
【０００２】
最近、カメラ付き携帯電話にＬＥＤを用いた照明用フラッシュライトが使用されるようになってきたが、キセノン管を用いた照明用フラッシュライトに比較して光量が少なかった。更に、光の放射角が固定されているので、遠くの被写体を撮影するときには光量が不足していた。
【０００３】
本発明の前記発光体は、ＬＥＤを包んでモールドしている樹脂により構成されているが、このような樹脂成型品を成形するための射出成形金型が特許文献１に開示されているので、図７を用いて特許文献１について説明する。プラスティックを成形するには射出成形金型を用いているが、射出成形金型にのランナーの先端にサブマリンゲート２２７を設け、このサブマリンゲート２２７を金型内に潜り込ませてキャビティの側壁部につなぎ、キャビティ２２５の側壁部から溶融樹脂を注入するタイプのゲート構造があるが、このような構造においては、サブマリンゲート２２７の上部の残肉が薄くなってしまい強度が不足するという課題があった。このような課題を解決するために、上型２２２と下型２２３とのパーティングライン２２４に段差部２３３を設けて、この段差部２３３をランナー２２６側のパーティングライン２２４ａよりキャビティ２２５側のパーティングライン２２４ｂの方が低くなるように、キャビティ２２５の側壁部２２８と同一ライン２３４上に設定した。
【０００４】
このように、段差部２３３をパーティングライン２２４ａに設けたことにより、サブマリンゲート２２７のランナー２２６の先端からキャビティ２２５の側壁部２２８までの深さＨを大きくとることができ、図７に示すように、サブマリンゲート２２７の上部に形成される下型２２３の残肉部２３１の肉厚を大きく形成することができ、この部分の強度を十分に確保することができる。その結果、キャビティ２２５内に溶融樹脂を高圧で射出する場合や、キャビティ２２５から樹脂成形品を取り出す場合等において、残肉部２３１が強度不足で欠け落ちてしまうと云うことがなく、薄肉の樹脂成型品に対する適用が可能となる。
【特許文献１】特開２００５−１６９８９３号公報
【発明の開示】
【発明が解決しようとする課題】
【０００５】
上述したように、従来のカメラ付き携帯電話に採用されているＬＥＤ（Ｌｉｇｈｔ  Ｅｍｉｔｔｉｎｇ  Ｄｉｏｄｅ：発光ダイオード）を用いた照明用フラッシュライトは光量が少なく光の放射角が固定されているので、写真撮影用の照明として不満足であった。
【０００６】
本発明の目的は、ＬＥＤが発光する光の放射角度を可変にすることにより、光量の少ないＬＥＤが発光する光を有効に利用することによって、写真撮影用の照明として満足のできるＬＥＤを用いた照明用フラッシュライトを得ようとするものである。
【課題を解決するための手段】
【０００７】
上記目的を達成するために、本発明においては、基板と、該基板に実装されているＬＥＤと、該ＬＥＤの周囲を囲むように前記基板に固着され発光体カバーと、該発光体カバーに前記発光体に対して近接離間移動可能に取り付けられレンズと該レンズを保持するためのレンズホルダとにより構成されたレンズ体とにより、前記ＬＥＤが発光する光の放射角度を可変可能に構成したことを特徴とするものである。
【０００８】
また、前記ＬＥＤが透明な樹脂によるモールディングにより封止されて発光体を構成していることを特徴とするものである。
【０００９】
また、前記樹脂がＹＡＧを含有していることを特徴とするものである。
【００１０】
また、前記レンズがフレネルレンズであることを特徴とするものである。
【００１１】
また、前記レンズが凸レンズであることを特徴とするものである。
【００１２】
また、前記レンズ体を駆動するモータを有することを特徴とするものである。
【００１３】
また、前記モータがステッピングモータであることを特徴とするものである。
【００１４】
また、前記モータが圧電モータであることを特徴とするものである。
【００１５】
また、前記モータがＤＣモータであることを特徴とするものである。
【００１６】
また、基板と、該基板に実装されているＬＥＤと、該ＬＥＤを封止する樹脂とにより構成され前記基板に実装された発光体と、前記基板に前記発光体に対して近接離間移動可能に取り付けられた反射レンズとにより、前記ＬＥＤが発光する光の放射角度を可変可能に構成したことを特徴とするものである。
【００１７】
また、前記反射レンズを駆動するモータを有することを特徴とするものである。
【００１８】
また、前記モータがステッピングモータであることを特徴とするものである。
【００１９】
また、前記モータが圧電モータであることを特徴とするものである。
【００２０】
また、前記モータがＤＣモータであることを特徴とするものである。
【発明の効果】
【００２１】
ＬＥＤが発光する光の放射角度を可変にすることにより、光量の少ないＬＥＤが発光する光を有効に利用することによって、写真撮影用の照明として適合したＬＥＤを用いた照明用フラッシュライトを得ることができる。
【発明を実施するための最良の形態】
【００２２】
基板と、該基板に実装されているＬＥＤと、該ＬＥＤを封止する樹脂とにより構成され前記基板に実装された発光体と、該発光体の周囲を囲むように前記基板に固着され発光体カバーと、該発光体カバーに前記発光体に対して近接離間移動可能に取り付けられたレンズ体とにより、前記ＬＥＤが発光する光の放射角度を可変可能に構成に構成する。
【実施例】
【００２３】
以下発明の実施の形態を図面を参照して説明する。図１は、本発明に係る第１実施例における指向性可変型ＬＥＤフラッシュ装置の主要な断面を示し、ＬＥＤが発光する光の放射角度を最小にした状態を示す説明図である。図２は、ＬＥＤが発光する光の放射角度を最大にした状態を示す説明図である。図３は、本発明に係る第２実施例における指向性可変型ＬＥＤフラッシュ装置のＬＥＤが発光する光の放射角度を最小にする状態を示し、（ａ）は、カバーガラス１１５の一部を破断除去した状態を示す平面図であり、（ｂ）は、（ａ）に示すＡＡ線断面の状態を示す主要断面である。図４は、本発明に係る第２実施例における指向性可変型ＬＥＤフラッシュ装置のＬＥＤが発光する光の放射角度を最大にする状態を示し、（ａ）は、カバーガラス１１５の一部を破断除去した状態を示す平面図であり、（ｂ）は、（ａ）に示すＣＣ線断面の状態を示す主要断面である。図５は、本発明に係る第２実施例におけるＬＥＤが発光する光の放射角度を最小にした状態を説明するための動作説明図である。図６は、本発明に係る第２実施例におけるＬＥＤが発光する光の放射角度を最大にした状態を説明するための動作説明図である。図７は、先行技術として特許文献１において開示しているプラスティックを成形するための射出成形金型の主要断面図である。
【００２４】
図１を用いて、本発明に係る指向性可変型ＬＥＤフラッシュ装置の第１実施例の構成について説明する。絶縁材によって平板状に形成されている基板ベース１ａの表面に配線パターン１ｂが形成されている基板１の表面には発光体２が固着されている。発光体２は、ＬＥＤ３とＬＥＤ３を包んでモールドしている透明な樹脂４により構成されている。ＬＥＤ３は接続線３ａによって配線パターン１ｂに接続されており、配線パターン１ｂは図示せぬＣＰＵに接続されている。なお、樹脂４はＹＡＧ（Ｙｔｔｒｉｕｍ  Ａｌｕｍｉｎｉｕｍ  Ｇａｒｎｅｔ）を含有させたものを用いてもよい。
【００２５】
また、基板１の表面には、発光体２を囲むように筒状の発光体カバー５が固着されている。発光体カバー５の内面にはレンズ体６が軸方向に往復移動可能に取り付けられており、レンズ体６は、レンズ７とレンズ７を保持するためのレンズホルダ８とにより構成され、レンズホルダ８の上端部にレンズ７が保持され、レンズホルダ８の胴部には操作ピン６ａが取り付けられている。操作ピン６ａには後述する送りねじ１１に勘合するための雌ねじが形成されている。レンズ７は透明な樹脂製のフレネルレンズを用いているが、勿論、ガラス製あるいは樹脂製の通常の凸レンズ、および凸レンズと凹レンズを組み合わせて用いてもよい。
【００２６】
また、基板１の裏面にはモータ９が取り付けられている。モータ９の出力軸１０には送りねじ１１が取り付けられ、送りねじ１１は操作ピン６ａに形成されている雌ねじに勘合し、モータ９の出力軸１０によって送りねじ１１を回転させることにより、レンズホルダ８を発光体２に対して近接離間移動させることができるように構成されている。モータ９はステッピングモータを用いているが、圧電モータ、あるいは振動モータを用いてもよい。
【００２７】
次に、図１、および図２を用いて、上述した第１実施例の作用について説明する。図１は、遠く離れた位置にある被写体を撮影するために照明する場合の第１実施例の状態を示す。モータ９によって送りねじ１１を矢印ａの方向に回転させて、レンズ体６を矢印ｂの方向に移動させ、発光体２に最も近接した位置である位置Ａに位置決めすることにより、遠く離れた位置にある被写体を撮影するために適した照明をすることができる。レンズ７が発光体２に近接した位置にあると、ＬＥＤ３が発光した光はレンズ７で大きく屈折して光束が絞られ指向性の高い光となり、遠く離れた被写体を光量が不足することなく明るく照明することができる。
【００２８】
図２は、近接した被写体を撮影するために照明する場合の第１実施例の状態を示す。図１の状態から、モータ９によって送りねじ１１を矢印ｃの方向に回転させて、レンズ体６矢印ｄの方向に移動させ、発光体２から最も離れた位置である位置Ｂに位置決めして図２の状態にすることにより、近接した位置にある被写体を撮影するために適した照明をすることができる。レンズ７が発光体２から離れた位置にあると、ＬＥＤ３が発光した光はレンズ７で小さく屈折して光束が広げられ指向性の低い光となり、近接した被写体を明る過ぎることなく適切な光量で照明することができる。
【００２９】
図３、および図４を用いて、本発明に係る指向性可変型ＬＥＤフラッシュ装置の第２実施例の構成について説明する。カップ状に形成されている枠体１１２の内側にはガイド部材１１３が固着されており、ガイド部材１１３の内面には凹面鏡１０７が上下方向に往復移動可能に案内されている。凹面鏡１０７は、凹面鏡１０７が図５に示す位置Ａに有る状態において、発光体１０２の位置に焦点を結ぶ放物面に形成されている。また、凹面鏡１０７には操作ピン１０６ａが取り付けられている。操作ピン１０６ａには後述する送りねじ１１１に勘合するための雌ねじが形成されている。
【００３０】
枠体１１２の下面にはモータ１０９が取り付けられている。モータ９の出力軸１１０には送りねじ１１１が取り付けられ、送りねじ１１１は操作ピン１０６ａに形成されている雌ねじに勘合し、モータ１０９の出力軸１１０によって送りねじ１１１を回転させることにより、凹面鏡１０７を発光体１０２に対して近接離間移動させることができるように構成されている。モータ１０９はステッピングモータを用いているが、圧電モータ、あるいは振動モータを用いてもよい。
【００３１】
また、枠体１１２の上端には、２箇所のブラケット部１１４ａを有する基板取付部材１１４が固着され、その上面には透明なカバーガラス１１５が固着されている。２箇所のブラケット部１１４ａには、絶縁材によって平板状に形成されている基板ベース１０１ａの表面に配線パターン１０１ｂが形成されている基板１０１が取り付けられており、基板１０１の表面には発光体１０２が固着されている。発光体１０２は、ＬＥＤ１０３とＬＥＤ１０３を包んでモールドしている樹脂１０４により構成されている。ＬＥＤ１０３は接続線１０３ａによって配線パターン１０１ｂに接続されており、配線パターン１０１ｂはリード線１１６によって図示せぬＣＰＵに接続されている。なお、樹脂１０４はＹＡＧ（Ｙｔｔｒｉｕｍ  Ａｌｕｍｉｎｉｕｍ  Ｇａｒｎｅｔ）を含有させたものを用いてもよい。
【００３２】
次に、図５、および図６を用いて、上述した第２実施例の作用について説明する。図５は、遠く離れた位置にある被写体を撮影するために照明する場合の第２実施例の状態を示す。モータ１０９によって送りねじ１１１を図５に示すように矢印ｅの方向に回転させて、凹面鏡１０７を矢印ｆの方向に移動させ、発光体１０２から最も遠い位置である位置Ｃに位置決めすることにより、遠く離れた位置にある被写体を撮影するために適した照明をすることができる。凹面鏡１０７が発光体１０２から遠い位置にあると、ＬＥＤ１０３が発光した光は凹面鏡１０７によって大きく曲がって反射されて光束が絞られ指向性の高い光となり、遠く離れた被写体を光量が不足することなく明るく照明することができる。
【００３３】
図６は、近接した被写体を撮影するために照明する場合の第２実施例の状態を示す。図５の状態から、モータ１０９によって送りねじ１１１を矢印ｇの方向に回転させて、凹面鏡１０７を矢印ｈの方向に移動させ、発光体１０２に最も近接した位置である位置ｄに位置決めして図６の状態にすることにより、近接した位置にある被写体を撮影するために適した照明をすることができる。凹面鏡１０７が発光体１０２に近接した位置にあると、ＬＥＤ１０３が発光した光はレンズ１０７で小さく曲がって反射されて光束が広げられ指向性の低い光となり、近接した被写体を明る過ぎることなく適切な光量で照明することができる。
【図面の簡単な説明】
【００３４】
【図１】本発明に係る第１実施例における指向性可変型ＬＥＤフラッシュ装置の主要な断面を示し、ＬＥＤが発光する光の放射角度を最小にした状態を示す説明図である。
【図２】ＬＥＤが発光する光の放射角度を最大にした状態を示す説明図である。
【図３】本発明に係る第２実施例における指向性可変型ＬＥＤフラッシュ装置のＬＥＤが発光する光の放射角度を最小にする状態を示し、（ａ）は、カバーガラス１１５の一部を破断除去した状態を示す平面図であり、（ｂ）は、（ａ）に示すＡＡ線断面の状態を示す主要断面である。
【図４】本発明に係る第２実施例における指向性可変型ＬＥＤフラッシュ装置のＬＥＤが発光する光の放射角度を最大にする状態を示し、（ａ）は、カバーガラス１１５の一部を破断除去した状態を示す平面図であり、（ｂ）は、（ａ）に示すＣＣ線断面の状態を示す主要断面である。
【図５】本発明に係る第２実施例におけるＬＥＤが発光する光の放射角度を最小にした状態を説明するための動作説明図である。
【図６】本発明に係る第２実施例におけるＬＥＤが発光する光の放射角度を最大にした状態を説明するための動作説明図である。
【図７】先行技術として特許文献１において開示しているプラスティックを成形するための射出成形金型の主要断面図である。
【符号の説明】
【００３５】
１、１０１  基板
１ａ、１０１ａ  基板ベース
１ｂ、１０１ｂ  配線パターン
２、１０２  発光体
３、１０３  ＬＥＤ
３ａ、１０３ａ  接続線
４、１０４  樹脂
５  発光体カバー
６  レンズ体
６ａ、１０６ａ  操作ピン
７  レンズ
１０７  凹面鏡
８  レンズホルダ
９、１０９  モータ
１０、１１０  出力軸
１１、１１１  送りねじ
１１２  枠体
１１３  ガイド部材
１１４  基板取付部材
１１４ａ  ブラケット部
１１５  カバーガラス
１１６  リード線
【図１】
2008090006.tif 000003
【図２】
2008090006.tif 000004
【図３】
2008090006.tif 000005
【図４】
2008090006.tif 000006
【図５】
2008090006.tif 000007
【図６】
2008090006.tif 000008
【図７】
2008090006.tif 000009